【手続補正書】
【提出日】平成16年12月21日(2004.12.21)
【手続補正１】
【補正対象書類名】明細書
【補正対象項目名】発明の名称
【補正方法】変更
【補正の内容】
【発明の名称】発光素子およびそれを用いた発光装置、電気器具
【手続補正２】
【補正対象書類名】明細書
【補正対象項目名】特許請求の範囲
【補正方法】変更
【補正の内容】
【特許請求の範囲】
【請求項１】
電極間に、正孔輸送領域と、発光領域と、電子輸送領域と、を有し、
前記正孔輸送領域は正孔輸送材料からなり、
前記発光領域は発光材料からなり、
前記電子輸送領域は電子輸送材料からなり、
前記正孔輸送領域と前記発光領域との間には前記正孔輸送材料と前記発光材料とを含む第１の混合領域を有し、
前記電子輸送領域と前記発光領域との間には前記電子輸送材料と前記発光材料とを含む第２の混合領域を有する
ことを特徴とする発光素子。
【請求項２】
電極間に、正孔輸送領域と、発光領域と、電子輸送領域と、を有し、
前記正孔輸送領域は正孔輸送材料からなり、
前記発光領域は発光材料がホスト材料に添加されてなり、
前記電子輸送領域は電子輸送材料からなり、
前記正孔輸送領域と前記発光領域との間には前記正孔輸送材料と前記ホスト材料とを含む第１の混合領域を有し、
前記電子輸送領域と前記発光領域との間には前記電子輸送材料と前記ホスト材料とを含む第２の混合領域を有する
ことを特徴とする発光素子。
【請求項３】
前記発光材料の励起エネルギーは、前記正孔輸送材料の励起エネルギー及び前記電子輸送材料の励起エネルギーよりも低いことを特徴とする請求項１または請求項２に記載の発光素子。
【請求項４】
前記発光材料は三重項発光材料であることを特徴とする請求項１乃至請求項３のいずれか一項に記載の発光素子。
【請求項５】
前記第１の混合領域において、前記正孔輸送材料の濃度は前記正孔輸送領域から前記発光領域の方に向かって減少し、
前記第２の混合領域において、前記電子輸送材料の濃度は前記電子輸送領域から前記発光領域の方に向かって減少する
ことを特徴とする請求項１乃至請求項４のいずれか一項に記載の発光素子。
【請求項６】
電極間に、正孔輸送層と、発光層と、電子輸送層と、を有し、
前記正孔輸送層は正孔輸送材料からなり、
前記発光層は発光材料からなり、
前記電子輸送層は電子輸送材料からなり、
前記正孔輸送層と前記発光層との間には前記正孔輸送材料と前記発光材料とを含む第１の混合層を有し、
前記電子輸送層と前記発光層との間には前記電子輸送材料と前記発光材料とを含む第２の混合層を有する
ことを特徴とする発光素子。
【請求項７】
電極間に、正孔輸送層と、発光層と、電子輸送層と、を有し、
前記正孔輸送層は正孔輸送材料からなり、
前記発光層は発光材料がホスト材料に添加されてなり、
前記電子輸送層は電子輸送材料からなり、
前記正孔輸送層と前記発光層との間には前記正孔輸送材料と前記ホスト材料とを含む第１の混合層を有し、
前記電子輸送層と前記発光層との間には前記電子輸送材料と前記ホスト材料とを含む第２の混合層を有する
ことを特徴とする発光素子。
【請求項８】
前記発光材料の励起エネルギーは、前記正孔輸送材料の励起エネルギー及び前記電子輸送材料の励起エネルギーよりも低いことを特徴とする請求項６または請求項７に記載の発光素子。
【請求項９】
前記発光材料は三重項発光材料であることを特徴とする請求項６乃至請求項８のいずれか一項に記載の発光素子。
【請求項１０】
前記第１の混合層において、前記正孔輸送材料の濃度は前記正孔輸送層から前記発光層の方に向かって減少し、
前記第２の混合層において、前記電子輸送材料の濃度は前記電子輸送層から前記発光層の方に向かって減少する
ことを特徴とする請求項６乃至請求項９のいずれか一項に記載の発光素子。
【請求項１１】
電極間に、順に積層された、正孔輸送層と、発光層と、正孔阻止層と、電子輸送層と、を有し、
前記正孔輸送層は正孔輸送材料からなり、
前記発光層は発光材料からなり、
前記正孔阻止層はブロッキング材料からなり、
前記電子輸送層は電子輸送材料からなり、
前記正孔輸送層と前記発光層との間には前記正孔輸送材料と前記発光材料とを含む第１の混合層を有し、
前記電子輸送層と前記正孔阻止層との間には前記電子輸送材料と前記ブロッキング材料とを含む第２の混合層を有する
ことを特徴とする発光素子。
【請求項１２】
電極間に、順に積層された、正孔輸送層と、発光層と、正孔阻止層と、電子輸送層と、を有し、
前記正孔輸送層は正孔輸送材料からなり、
前記発光層は発光材料がホスト材料に添加されてなり、
前記正孔阻止層はブロッキング材料からなり、
前記電子輸送層は電子輸送材料からなり、
前記正孔輸送層と前記発光層との間には前記正孔輸送材料と前記ホスト材料とを含む第１の混合層を有し、
前記電子輸送層と前記正孔阻止層との間には前記電子輸送材料と前記ブロッキング材料とを含む第２の混合層を有する
ことを特徴とする発光素子。
【請求項１３】
前記発光層において形成される分子励起子の励起エネルギーレベルは、前記ブロッキング材料の励起エネルギーレベルよりも小さいことを特徴とする請求項１１または請求項１２に記載の発光素子。
【請求項１４】
前記発光材料は三重項発光材料であることを特徴とする請求項１１乃至請求項１３のいずれか一項に記載の発光素子。
【請求項１５】
前記第１の混合層において、前記正孔輸送材料の濃度は前記正孔輸送層から前記発光層の方に向かって減少し、
前記第２の混合層において、前記電子輸送材料の濃度は前記電子輸送層から前記正孔阻止層の方に向かって減少する
ことを特徴とする請求項１１乃至請求項１４のいずれか一項に記載の発光素子。
【請求項１６】
電極間に、順に積層された、正孔注入層と、正孔輸送層と、発光層と、電子輸送層と、電子注入層とを有し、
前記正孔注入層は正孔注入材料からなり、
前記正孔輸送層は正孔輸送材料からなり、
前記発光層は発光材料からなり、
前記電子輸送層は電子輸送材料からなり、
前記電子注入層は電子注入材料からなり、
前記正孔輸送層と前記正孔注入層との間には前記正孔輸送材料と前記正孔注入材料とを含む第１の混合層を有し、
前記電子輸送層と前記電子注入層との間には前記電子輸送材料と前記電子注入材料とを含む第２の混合層を有する
ことを特徴とする発光素子。
【請求項１７】
電極間に、順に積層された正孔注入層と、正孔輸送層と、発光層と、電子輸送層と、電子注入層とを有し、
前記正孔注入層は正孔注入材料からなり、
前記正孔輸送層は正孔輸送材料からなり、
前記発光層は発光材料がホスト材料に添加されてなり、
前記電子輸送層は電子輸送材料からなり、
前記電子注入層は電子注入材料からなり、
前記正孔輸送層と前記正孔注入層との間には前記正孔輸送材料と前記正孔注入材料とを含む第１の混合層を有し、
前記電子輸送層と前記電子注入層との間には前記電子輸送材料と前記電子注入材料とを含む第２の混合層を有する
ことを特徴とする発光素子。
【請求項１８】
前記発光材料の励起エネルギーは、前記正孔輸送材料の励起エネルギー及び前記電子輸送材料の励起エネルギーよりも低いことを特徴とする請求項１６または請求項１７に記載の発光素子。
【請求項１９】
前記発光材料は三重項発光材料であることを特徴とする請求項１６乃至請求項１８のいずれか一項に記載の発光素子。
【請求項２０】
前記第１の混合層において、前記正孔輸送材料の濃度は前記正孔輸送層から前記正孔注入層の方に向かって減少し、
前記第２の混合層において、前記電子輸送材料の濃度は前記電子輸送層から前記電子注入層の方に向かって減少する
ことを特徴とする請求項１６乃至請求項１９のいずれか一項に記載の発光素子。
【請求項２１】
請求項１乃至請求項２０のいずれか一項に記載の発光素子を画素部に含むことを特徴とする発光装置。
【請求項２２】
請求項１乃至請求項２０のいずれか一項に記載の発光素子を含む画素部と、駆動回路とを有し、前記画素部のＴＦＴと前記駆動回路のＴＦＴとは同一基板上に設けられていることを特徴とする発光装置。
【請求項２３】
請求項２１または請求項２２に記載の発光装置を表示部に用いていることを特徴とする電気器具。